(57)【要約】【課題】犬等のペットの散歩時における糞を簡便かつ衛生的に始末し、人に与える不快感を取り除く事が出来る糞取り具を提供する。【解決手段】上部に手持ち部１を形成したハンドル２と上枠３ｂをスライド可能に連結し、ハンドル２と下枠３ａを回転可能に連結し、それら上下枠を回転可能に連結し、手持ち部１が地表に対して垂直である場合においては自重により上枠３ｂと下枠３ａが閉合し、下枠３ａを地表に押し付け手持ち部１を地表に対して水平方向へ傾けた場合においては上枠３ｂと下枠３ａが開口し、バック８にセットされた使い捨てポリ袋などにより糞を簡便かつ衛生的に回収可能としたものである。【選択図】図１
2006055150.tif 000002
【特許請求の範囲】
【請求項１】
上部に手持ち部（１）を形成したハンドル（２）と上枠（３ｂ）をスライド可能に連結し、ハンドル（２）と下枠（３ａ）を回転可能に連結し、その上枠（３ｂ）と下枠（３ａ）を回転可能に連結し、手持ち部（１）が地表に対して垂直である場合においては自重により上枠（３ｂ）と下枠（３ａ）が閉合し、下枠（３ａ）を地表に押し付け手持ち部（１）を地表に対して水平方向へ傾けた場合においては上枠（３ｂ）と下枠（３ａ）が開口し糞受けを可能としたことを特徴とするペット用携帯糞取り具。
【請求項２】
前記上枠（３ｂ）と下枠（３ａ）に布状のバック（８）を取り付けた請求項１のペット用携帯糞取り具。
【請求項３】
前記下枠（３ａ）に突起部（６）を取り付け、使い捨てポリ袋（１０）の手提げ用の開口部（１１）を引っ掛けることにより、上枠（３ｂ）と下枠（３ａ）の動きに連動して使い捨てポリ袋（１０）が閉合または開口する請求項１のペット用携帯糞取り具。
【発明の詳細な説明】
【技術分野】
【０００１】  本発明は、犬等のペットを連れて散歩する時などに携行し、簡便かつ衛生的にペットの糞を始末することを可能にしたペット用携帯糞取り具に関するものである。
【背景技術】
【０００２】  犬などのペットを連れて散歩する時、ペットの糞を始末することは飼い主のマナーである。しかし、糞を始末することにはとても不快感を伴うものである。そこで、その不快感を解消するために簡便かつ衛生的に糞を始末するための糞取り具が数多く考案されている。【０００３】  糞が地表に落ちる前に使い捨てのポリ袋などの収集袋へ直接収集できるほうが、一度落ちた糞を拾うより不快感は少ない。これには、柄の先端へ収集袋を着脱可能に取り付けられるものがある（例えば、特許文献１参照。）。しかし、これだけでは収集した糞の姿形が収集袋を透かして見え、持ち運び時の不快感は解消されない。その解決策として、収集袋をカバーで覆ったものがある（例えば、特許文献２参照。）。しかし、複雑な機構を有し、糞を受けるときの操作も複雑である。【０００４】
【特許文献１】特開２００３−２１９７４８号公報
【特許文献２】特開２００３−１２５６６６号公報
【発明の開示】
【発明が解決しようとする課題】
【０００５】  糞の始末に伴う不快感を解消するためには、糞の回収から最終的な処分をするまで、糞の姿形が目に入らず、回収作業をする人の手に触れることなく、人体から離れていることが必要である。これらの要件をすべて満たすものは数少なく、また要件を満たしていても複雑な機構を有し、操作に手間と時間が掛かり、複雑な機構を有する故に故障の可能性が高い、という問題がある。【０００６】  本発明は糞を始末するときの不快感を解消し、かつ上記のような問題を解決するものである。
【課題を解決するための手段】
【０００７】  この発明は、糞を始末するときの不快感を解消し、操作を簡易化し、簡単な機構にするために、上部に手持ち部を形成したハンドルと上枠をスライド可能に連結し、ハンドルと下枠を回転可能に連結し、その上枠と下枠を回転可能に連結し、手持ち部が地表に対して垂直である場合においては自重により上枠と下枠が閉合し、下枠を地表に押し付け手持ち部を地表に対して水平方向へ傾けた場合においては上枠と下枠が開口するものである。【０００８】  また、回収した糞が見えないように、上下枠に布状のバックが取り付けてある。【０００９】  更に、糞を衛生的に回収しやすいように、使い捨てポリ袋の手提げ用の開口部を下枠の突起部に引っ掛けることにより、上枠と下枠の動きに連動してポリ袋が閉合または開口するようにした。
【発明の効果】
【００１０】  本発明の請求項１に於いては、糞の回収作業において手に触れることなく、手持ち部の長さによって人体から離れたところで、片手で糞の落下地点へ本品を差し伸べるだけという極めて単純な操作により糞が回収できる。また、差し伸べた本品を引き戻すことにより枠が閉合し、糞が見えることはない。【００１１】  請求項２に於いては、持ち運び時において周りから糞の姿形が見えなく、周囲の人にも不快感を与えることはない。【００１２】  請求項３に於いては、スーパー等で使用するポリ袋が利用でき、簡単な取り付け方法で枠の動きと連動し、経済的かつ衛生的に糞を回収することが出来る。また、糞の回収後、枠が閉合した状態のままバックにセットしたポリ袋の口を縛ることができ、最終的な処分まで糞の姿形を見ることはない。
【発明の実施するための最良の形態】
【００１３】  図１に示されるペット用携帯糞取り具は、上部に手持ち部１を形成したハンドル２に、布状のバック８が取り付けられている上枠３ｂと下枠３ａを連結して構成され、使い捨てのポリ袋１０をバック８の中にセットし下枠３ａの突起部６に手提げ用開口部１１を引っ掛けることが出来る。
【００１４】  手持ち部１、ハンドル２、上枠３ｂ、下枠３ａは剛性の強い金属製である。その上枠３ｂと下枠３ａは連結部７によって回転可能に連結する。連結部７は上枠３ｂの下端に形成する。また、図３に示すように、ハンドル２と上枠３ｂは、ハンドル２に形成されたスライド開口部９と上枠３ｂに取り付けられたスライド突起部４によりスライド開口部９の中をスライド突起部４がスライド出来るように連結する。ハンドル２と下枠３ａは連結部５によって回転可能に連結する。スライド突起部４は上枠３ｂの上端部に固定し、連結部５は下枠３ａの下端から約５ｃｍのところに固定する。
【００１５】  図５の手持ち部１を地表に対して垂直に保った状態において、自重により上枠３ｂと下枠３ａが閉合する。図６の下枠３ａを地表へ押し付けた状態では、下枠３ａが連結部５を軸に回転し、それに連結された上枠３ｂとの連結部７が上方へ押し上げられ、スライド開口部９の中をそれに沿ってスライド突起部４が移動し、上枠３ｂと下枠３ａが開口し始める。図７の手持ち部１を地表に対して水平方向へ傾けた状態においては、スライド突起部４がスライド開口部９の上端まで到達し、上枠３ｂと下枠３ａが最大に開口する。
【００１６】  バック８は図３に示すように上下枠に取り付けられ、枠の動きに追従するような柔軟性のある材質のもので形成される。汚れを洗うことが可能なビニール製であればなおよい。
【００１７】  図４に示すように突起部６は下枠３ａに固定されていて、使い捨てポリ袋１０の手提げ用開口部１１を引っ掛けるため先端が折れ曲がっている。
【図面の簡単な説明】
【００１８】
【図１】使い捨てポリ袋１０の装着前を示す斜視図
【図２】使い捨てポリ袋１０の装着前を示す正面図
【図３】使い捨てポリ袋１０の装着前を示す側面図
【図４】使い捨てポリ袋１０の装着前を示す平面図
【図５】手持ち部１を地表に対して垂直に保った状態を示す側面図
【図６】下枠３ａを地表へ押し付けた状態を示す側面図
【図７】手持ち部１を地表に対して水平方向へ傾けた状態を示す側面図
【図８】使い捨てポリ袋１０の装着方向を示す斜視図
【図９】使い捨てポリ袋１０の手提げ用開口部１１を突起部６に引っ掛ける状態を示す斜視図
【図１０】使い捨てポリ袋１０の装着後を示す斜視図
【図１１】使い捨てポリ袋１０を装着したペット用携帯糞取り具の使用状態を示す側面図
【符号の説明】
【００１９】１    手持ち部
２    ハンドル
３ａ  下枠
３ｂ  上枠
４    スライド突起部
５    連結部
６    突起部
７    連結部
８    バック
９    スライド開口部
１０  使い捨てポリ袋
１１  手提げ用開口部
【図１】
2006055150.tif 000003
【図２】
2006055150.tif 000004
【図３】
2006055150.tif 000005
【図４】
2006055150.tif 000006
【図５】
2006055150.tif 000007
【図６】
2006055150.tif 000008
【図７】
2006055150.tif 000009
【図８】
2006055150.tif 000010
【図９】
2006055150.tif 000011
【図１０】
2006055150.tif 000012
【図１１】
2006055150.tif 000013